(57)【特許請求の範囲】
【請求項１】
加速度検出対象物に設置される加速度検出装置において、
感度軸方向の加速度を検出する一対の加速度センサを備え、
これらの加速度センサの感度軸を鉛直平面内で互いに平行とならないように水平軸方向に対して傾斜させて配置するとともに、
前記一対の加速度センサの出力と前記各感度軸の傾斜角度から前記鉛直平面内の所定の方向の加速度を演算する演算手段と、
加速度検出対象物の静止時に前記演算手段により演算された鉛直軸方向の加速度に対応する値を重力加速度に基づいて出力されるべき値と比較して前記一対の加速度センサの故障検知を行うことを特徴とする加速度検出装置。
【請求項２】
前記演算手段は、水平軸方向の水平加速度と、鉛直軸方向の鉛直加速度を演算することを特徴とする請求項１に記載の加速度検出装置。
【請求項３】
前記加速度センサは水平軸の上下に配置され、かつ鉛直軸の左右同じ側に配置されることを特徴とする請求項１または請求項２に記載の加速度検出装置。
【請求項４】
前記加速度センサは鉛直軸の左右に配置され、かつ水平軸の上下同じ側に配置されることを特徴とする請求項１または請求項２に記載の加速度検出装置。
【請求項５】
前記加速度センサは水平軸の上下に等しい傾斜角度で配置されることを特徴とする請求項３に記載の加速度検出装置。
【請求項６】
前記加速度センサは垂直軸の左右に等しい傾斜角度で配置されることを特徴とする請求項４に記載の加速度検出装置。
【請求項７】
前記演算手段は、前記一対の加速度センサの出力の和を演算する加算手段と、前記一対の加速度センサの出力の差を演算する減算手段とを備え、前記加算手段の出力に基づいて水平加速度を演算し、前記減算手段の出力に基づいて鉛直加速度を演算することを特徴とする請求項５に記載の加速度検出装置。
【請求項８】
前記演算手段は、前記一対の加速度センサの出力の和を演算する加算手段と、前記一対の加速度センサの出力の差を演算する減算手段とを備え、前記加算手段の出力に基づいて鉛直加速度を演算し、前記減算手段の出力に基づいて水平加速度を演算することを特徴とする請求項６に記載の加速度検出装置。
【請求項９】
前記演算手段は、少なくとも一方の加速度センサの出力に所定のゲインを与える増幅手段を備え、前記加算手段においてはこの増幅手段によりゲインを与えられた一方の加速度センサの出力と他方の加速度センサの出力との和および差を演算するようにしたことを特徴とする請求項７または請求項８に記載の加速度検出装置。
【発明の詳細な説明】
【０００１】
【発明の属する技術分野】
本発明は、加速度検出装置に関し、特に、検出対象物の静止時にも故障検出を容易に行い得るようにした改良に関する。
【０００２】
【従来の技術】
従来から、加速度検出対象物に設置されて、その加速度を検出する加速度センサが知られている。このような加速度センサとしては、例えば、加速度検出対象物の動きに合わせて揺れようとする振り子と、この振り子の位置を検出する検出装置とを備え、この検出装置により検出される振り子の位置を電磁コイルへの通電により発生する力で動かないようにフィードバック制御するものがある。そして、このとき振り子に働く力が振り子に加わる加速度（すなわち加速度検出対象物の加速度）と等しいことに着目して、加速度検出対象物の加速度を電磁コイルに流れる電流値として検出する。
【０００３】
【発明が解決しようとする課題】
ところで、このような加速度センサは、例えば、地震計として用いられたり、鉄道車両における車両の揺動を制御に用いられたりするので、常に正確な加速度検出を行えるように、故障検知を行う必要がある。
【０００４】
このため、上述したような加速度センサには、セルフテスト端子を備えたものがある。具体的には、セルフテスト端子に電気信号を入力することにより、振り子の位置検出装置の振り子に実際加速度が与えられたのと同様な電気回路的状態を作り出し、このときの加速度センサの出力が、セルフテスト端子に入力された電気信号に相当するものであるかどうかをチェックする。
【０００５】
しかしながら、このようなチェック方法は、上述したような振り子などを用いたタイプの加速度センサにしか適用できず、また、セルフテスト端子を設けることは回路の複雑化につながり、コストアップの原因となる。
【０００６】
また、加速度センサごとに加振装置を備え付けておいて、加速度センサに実際に振動を与えて故障検出する方法が考えられるが、加振装置の分だけ、コストアップを招くうえ、装置が大型化してしまう。
【０００７】
本発明は、このような問題点に着目してなされたもので、検出対象物に設置され検出対象物の加速度を検出する加速度検出装置において、検出対象物の静止時においても故障検知を容易に行い得るものを提供することを目的とする。
【０００８】
【課題を解決するための手段】
第１の発明では、加速度検出対象物に設置される加速度検出装置において、感度軸方向の加速度を検出する一対の加速度センサを備え、これらの加速度センサの感度軸を鉛直平面内で互いに平行とならないように水平軸方向に対して傾斜させて配置するとともに、前記一対の加速度センサの出力と前記各感度軸の傾斜角度から前記鉛直平面内の所定の方向の加速度を演算する演算手段と、加速度検出対象物の静止時に前記演算手段により演算された鉛直軸方向の加速度に対応する値を重力加速度に基づいて出力されるべき値と比較して前記一対の加速度センサの故障検知を行う。
【０００９】
第２の発明では、前記演算手段は、水平軸方向の水平加速度と、鉛直軸方向の鉛直加速度を演算する。
【００１０】
第３の発明では、前記加速度センサは水平軸の上下に配置され、かつ鉛直軸の左右同じ側に配置される。
【００１１】
第４の発明では、前記加速度センサは鉛直軸の左右に配置され、かつ水平軸の上下同じ側に配置される。
【００１２】
第５の発明では、前記加速度センサは水平軸の上下に等しい傾斜角度で配置される。
【００１３】
第６の発明では、前記加速度センサは垂直軸の左右に等しい傾斜角度で配置される。
【００１４】
第７の発明では、前記演算手段は、前記一対の加速度センサの出力の和を演算する加算手段と、前記一対の加速度センサの出力の差を演算する減算手段とを備え、前記加算手段の出力に基づいて水平加速度を演算し、前記減算手段の出力に基づいて鉛直加速度を演算する。
【００１５】
第８の発明では、前記演算手段は、前記一対の加速度センサの出力の和を演算する加算手段と、前記一対の加速度センサの出力の差を演算する減算手段とを備え、前記加算手段の出力に基づいて鉛直加速度を演算し、前記減算手段の出力に基づいて水平加速度を演算する。
【００１６】
第９の発明では、前記演算手段は、少なくとも一方の加速度センサの出力に所定のゲインを与える増幅手段を備え、前記加算手段においてはこの増幅手段によりゲインを与えられた一方の加速度センサの出力と他方の加速度センサの出力との和および差を演算するようにした。
【００１７】
【発明の作用および効果】
第１、第２の発明では、加速度検出対象物にかかる加速度にしたがって一対の加速度センサから検出信号が出力され、演算手段は、これらの検出手段に基づいて、加速度を検出すべき所定の方向の加速度（例えば、第２の発明のように水平軸方向の水平加速度または鉛直軸方向の鉛直加速度）を演算し、加速度検出装置による加速度検出が行われるが、一対の加速度センサは水平軸に対して所定の傾斜角度をもって配置され、加速度検出対象物の静止時においても、重力加速度に基づく出力をするので、この出力の値を、正常時に出力されるべき値と比較することにより、静止時においても加速度センサの故障検知を容易に行い得る。
【００１８】
このように本発明によれば、静止状態で故障検知できる加速度検出装置が容易に構成できる。また、加速度検出装置の構成部分である一対の加速度センサの形式は特に限定されないので、装置の低コスト化を図ることができる。
【００１９】
第３、第５、第７の発明では、一対の加速度センサが水平方向に同じ側を向いて配置されることになるので、水平加速度の検出においては、２つの加速度センサが組合わされた分、検出の感度を高めることができる。
【００２０】
さらに、第５、第７の発明では、加速度センサは水平軸の上下に等しい傾斜角度で対称に配置されているので、演算手段による演算を単純化することができ、演算手段を簡素化することができる。
【００２１】
第４、第６、第８の発明では、一対の加速度センサが鉛直方向に同じ側を向いて配置されることになるので、鉛直加速度の検出においては、２つの加速度センサが組合わされた分、検出の感度を高めることができる。
【００２２】
さらに、第６、第８の発明では、加速度センサは鉛直軸の左右に等しい傾斜角度で対称に配置されているので、演算手段による演算を単純化することができ、演算手段を簡素化することができる。
【００２３】
第９の発明では、加速度センサの感度軸にアライメント誤差があった場合など、加速度センサが正しい傾斜角度で配置されなかった場合でも、演算手段において、加算手段に入力される前の少なくとも一方の加速度センサの出力に、増幅手段で所定のゲインを与えることにより、加速度検出装置の水平加速度に相当する出力に鉛直加速度の影響が及ばないように、または鉛直加速度に相当する出力に水平加速度の影響が及ばないようにできる。したがって、加速度検出装置を構成する加速度センサとしてアライメント精度の低い安価なセンサを用いることができ、装置の低コスト化を図ることができる。
【００２４】
【発明の実施の形態】
以下、添付図面に基づいて、本発明の実施の形態について説明する。
【００２５】
図１または図２に示すように、加速度検出装置１は、一対の加速度センサＡ、Ｂを備えている。この加速度センサＡ、Ｂは、定常加速度を測定できるものであれば、いかなる形式のセンサであってもよい。また、加速度検出装置１は、一対の加速度センサＡ、Ｂを一つのケーシング内に一体に内蔵したものでもよいし、一対の独立の加速度センサＡ、Ｂを組み合わせて構成するようにしてもよい。
【００２６】
図１または図２には、これらの加速度センサＡ、Ｂの感度軸の方向をベクトルで示している。一対の加速度センサＡ、Ｂは、それぞれ、これらの感度軸の方向の加速度を検出するものである。
【００２７】
図示されるように、これらの加速度センサＡ、Ｂの感度軸は、（仮想的に考えられた）水平軸Ｈおよび鉛直軸Ｖを含む平面内において、それぞれ水平軸Ｈに対して所定の傾斜角度θA、θBで固定されている。なお、図１においては、反時計回りを正としているので、θAは正の値、θBは負の値となっている。
【００２８】
この場合、加速度センサＡ、Ｂの配置は、傾斜角度θA、θBがいずれもゼロでなく、加速度センサＡ、Ｂが一直線上に配置されないのであれば（すなわち、加速度センサＡ、Ｂの感度軸を表すベクトルが一次独立であれば）、他に特に限定されない。したがって、図１のように、一対の加速度センサＡ、Ｂを水平軸Ｈの上下に配置してもよいし、図２のように、上下の同じ側（上側または下側）に配置するようにしてもよい。
【００２９】
このように、加速度センサＡ、Ｂは水平軸Ｈに対して傾斜しているので（したがって感度軸を表すベクトルは鉛直軸Ｖ方向への成分を持っているので）、加速度センサＡ、Ｂからは、加速度検出対象物（加速度検出装置１）の静止時においても、鉛直軸Ｖ方向の加速度、すなわち重力加速度が検出される。したがって、後述するように、この加速度センサＡ、Ｂの重力加速度分の出力を用いれば、静止時においても、加速度検出装置１（加速度センサＡ、Ｂ）の故障検知を行うことができる。
【００３０】
図３には、水平軸Ｈに対して傾斜角度θをもって加速度センサが配置され、この加速度センサに水平加速度αHと鉛直加速度αVが与えられたときの、加速度センサの出力αを示す。
【００３１】
図から明らかなように、加速度センサの出力αは、
α＝αH・cosθ＋αV・sinθ  …  （１）
と表すことができる。このように、図１または図２の加速度センサＡ、Ｂの出力αA、αBには、水平加速度αHからの寄与分と、鉛直加速度αVからの寄与分が含まれてしまうので、一つの加速度センサのみでは、加速度が水平方向に与えられたのか、垂直方向に与えられたのか判別できない。
【００３２】
そこで、本発明では、一対の加速度センサＡ、Ｂを備え、以下に説明するように、加速度センサＡ、Ｂの出力αA、αBから、水平加速度αH、鉛直加速度αVを演算することができるようになっている。
【００３３】
すなわち、式（１）に傾斜角度θA、θBを代入すれば、図１または図２の加速度センサＡ、Ｂの出力αA、αBは、
αA＝αH・cosθA＋αV・sinθA  …  （２）
αB＝αH・cosθB＋αV・sinθB  …  （３）
と表わすことができる。
【００３４】
したがって、この連立方程式（２）、（３）を、αH、αVについて解くと、
αH＝（αA・sinθB−αB・sinθA）／（cosθA・sinθB−cosθB・sinθA）…  （４）
αV＝（αA・cosθB−αB・cosθA）／（sinθA・cosθB−sinθB・cosθA）…  （５）
が得られ、これらの式（４）、（５）から、それぞれ水平加速度αHと鉛直加速度αVが、自動的に求められる。
【００３５】
本発明の加速度検出装置１では、この連立方程式（２）、（３）を解くのに相当する演算は、具体的には、例えば図４に示すような演算回路１１において実行される。
【００３６】
この演算回路１１では、速度検出装置本体１０の加速度センサＡからの出力信号αAには、アンプ１３において所定のゲインＫ1を与えらえる一方、加速度センサＢからの出力信号αBには、アンプ１４においてゲイン−Ｋ2が与えられる。そして、これらのアンプ１３、１４の出力は、加算器１７において加え合わされ、この加算器１７の出力に出力アンプ４においてゲインＫ5を与えたものが、水平加速度αHに対応する出力α1となる。
【００３７】
また、加速度センサＡからの出力信号αAには、アンプ１５において所定のゲインＫ3が与えられる一方、加速度センサＢからの出力信号αBには、アンプ１６において所定のゲイン−Ｋ4が与えられる。これらのアンプ１５、１６の出力は、加算器１８において加え合わされ、この加算器１８の出力に出力アンプ７においてゲインＫ6を与えたものが、鉛直加速度αVに対応する出力α2となる。
【００３８】
なお、この演算回路１１は、加速度センサを実装したモジュール内に一体にアナログ回路として備えてもよいし、モジュール外部に外部回路として備えるようにしてもよい。
【００３９】
なお、上記のゲインＫ1〜Ｋ6は、例えば、
Ｋ1＝sinθB／（cosθA・sinθB−cosθB・sinθA）
Ｋ2＝sinθA／（cosθA・sinθB−cosθB・sinθA）
Ｋ3＝cosθB／（cosθA・sinθB−cosθB・sinθA）
Ｋ4＝cosθA／（cosθA・sinθB−cosθB・sinθA）
Ｋ5＝１
Ｋ6＝１
と設定すればよい。
【００４０】
このようにして式（４）、（５）に相当する演算が実行され、加速度検出装置１の出力α1、α2として、加速度の水平成分αHと鉛直成分αVが求められる。したがって、加速度センサＡ、Ｂが配置された平面内の任意の方向の加速度を検出することができる。
【００４１】
一方、加速度検出対象物の静止時において、式（２）、（３）で表される加速度センサＡ、Ｂの出力αA、αBを直接に確認することにより、または、式（５）により演算された加速度の鉛直成分に相当する出力α2を、重力により与えられるべき加速度（αV＝−Ｇ）と比較することにより、加速度センサＡ、Ｂの故障を検知することができる。
【００４２】
具体的には、静止時においては、αH＝０、αV＝−Ｇであるから、これを式（２）に代入した、
αA＝−Ｇ・sinθA  …  （６）
が成り立てば、加速度センサＡは正常であるし、式（３）に代入した、
αB＝−Ｇ・sinθB  …  （７）
が成り立てば、加速度センサＢは正常であることが分かる。
【００４３】
あるいは、加速度センサＡ、Ｂのいずれか一方または両方が故障した場合には、式（５）に基づいて演算される鉛直加速度に相当する出力α2が、本来出力されるべき値αV（＝−Ｇ）とは異なる値となることを用いて故障検知を行う。すなわち、加速度センサが故障したときには、一般に、ゼロ出力または最大出力になることが多いが、例えば加速度センサＡが故障し、ゼロ出力（すなわちαA＝０）となった場合には、
α2＝−Ｇ・（−sinθB・cosθA）／（sinθA・cosθB−sinθB・cosθA）…  （８）
となるし、加速度センサＢが故障し、ゼロ出力（すなわちαB＝０）となった場合には、
α2＝−Ｇ・（sinθA・cosθB）／（sinθA・cosθB−sinθB・cosθA）…  （９）
となるので、これらの値は正しいαV（＝−Ｇ）と異なって来る。また、加速度センサＡ、Ｂがともに故障し、αA＝０、αB＝０となった場合には、当然に、α2＝０となる。したがって、加速度検出装置１の鉛直加速度に相当する出力α2を監視していれば、加速度センサＡ、Ｂの故障を直ちに検知できる。
【００４４】
なお、故障検出は、このように鉛直加速度（重力加速度）を用いて行われるので、非静止時（走行時）においても行い得る。この場合には、ローパスフィルタを用いたり、平均化処理をしたりすることにより、鉛直加速度に相当する出力α2を安定化させるようにすればよい。
【００４５】
このように本発明によれば、非静止状態のみならず、静止状態で故障検知できる加速度検出装置１が容易に構成できる。また、加速度検出装置１の構成部分である一対の加速度センサＡ、Ｂの形式は特に限定されないので、装置の低コスト化を図ることができる。したがって、本発明の加速度検出装置１は、例えば鉄道車両の揺動制御用に設置されるなど、静的なセルフテストが行えることが要求される加速度センサとして最適である。
【００４６】
図５には、本発明の他の実施の形態を示す。
【００４７】
この実施の形態では、一対の加速度センサＡ、Ｂの感度軸は、水平軸Ｈおよび鉛直軸Ｖを含む平面内において、水平軸Ｈに対して上下に対称となるように配設される。すなわち、図１の実施の形態において、θA＝Θ、θB＝−Θとし、加速度センサＡの感度軸は水平軸Ｈから上方に角度Θだけ上方に回転した方向を向き、加速度センサＢの感度軸は角度Θだけ下方に回転した方向を向くようにしている。
【００４８】
この場合には、加速度センサＡ、Ｂからの出力信号αA、αBは、上述の式（２）、（３）に、θA＝Θ、θB＝−Θを代入することにより、
αA＝αH・cosΘ＋αV・sinΘ  …  （１０）
αB＝αH・cosΘ−αV・sinΘ  …  （１１）
と表すことができる。したがって、本実施の形態では、水平加速度αHおよび鉛直加速度αVを求める演算が単純化できる。すなわち、式（１０）、（１１）の連立方程式は容易に解け、
αH＝（αA＋αB）／（２cosΘ）  …  （１２）
αV＝（αA−αB）／（２sinΘ）  …  （１３）
となる。
【００４９】
この実施の形態の加速度検出装置１では、具体的に図６に示す演算回路１２において、この演算が実行される。
【００５０】
この演算回路１２においては、速度検出装置本体１０の加速度センサＡからの出力信号αAは、同じく加速度検出装置本体１０の加速度センサＢからの出力信号αBと、加算器３において加え合わせられる。この加算器３の出力が、出力アンプ４を介して増幅され（１／（２cosΘ）倍され）、水平加速度についての出力信号αHとなる。
【００５１】
また、出力信号αBは、反転アンプ５において正負を反転され、加算器６において出力信号αAと加え合わせられる。この加算器６の出力が、出力アンプ７を介して増幅され（１／（２sinΘ）倍され）、鉛直加速度についての出力信号αVとなる。
【００５２】
なお、アンプ２０は、以下に説明するように誤差補正用のものであり、上述のような通常の動作では、出力信号αAにゲインを与えることはない。具体的には、このアンプ２０におけるゲインＣは１となる。
【００５３】
図７には、図５に示した実施の形態において、加速度センサＡ、Ｂの設置角度に、それぞれ誤差δ、εが生じてしまった場合を示している。この場合には、図６の演算回路１２に設けたアンプ２０において、加算器３、６に入力される前の加速度センサ出力αAに適切なゲインＣを乗じるようにして、加速度検出装置１の出力を補正する。
【００５４】
具体的には、アンプ２０のゲインＣの設定は、加速度検出装置１が静止状態にある初期状態（αH＝０、αV＝−Ｇ）において、水平加速度出力α1がゼロになるように、アンプ２０を調整することにより実行される。
【００５５】
これを数式を用いて説明すると、誤差δ、εがある場合には、式（１０）、（１１）は、
αA＝αH・cos（Θ＋δ）＋αV・sin（Θ＋δ）  …  （１４）
αB＝αH・cos（Θ＋ε）−αV・sin（Θ＋ε）  …  （１５）
となる。この式（１４）にゲインＣを乗じて式（１５）に加えれば、
ＣαA＋αB＝Ｃ［αH・cos（Θ＋δ）＋αV・sin（Θ＋δ）］＋［αH・cos（Θ＋ε）−αV・sin（Θ＋ε）］  …  （１６）
が得られる。この式（１６）の値は、加速度検出装置１の水平加速度出力α1に相当するので、初期調整として、この出力α1（＝ＣαA＋αB）がゼロになるようにゲインＣを調整する。具体的には、式（１６）を、
ＣαA＋αB＝［Ｃ・cos（Θ＋δ）＋cos（Θ＋ε）］・αH・＋［Ｃ・sin（Θ＋δ）−sin（Θ＋ε）］・αV  …  （１６）′
と変形し、この式（１６）′の右辺が、初期条件αH＝０、αV＝−Ｇにおいてゼロとなるように、式（１６）′のαHの項のみが残り、αVの項が消えるようにする。すなわち、
Ｃ＝sin（Θ＋ε）／sin（Θ＋δ）  …  （１７）
とする。これにより、式（１６）の左辺、すなわちＣαA＋αBに出力アンプ４において所定のゲインを与えたものとして出力される加速度検出装置１の水平加速度に相当する出力（出力アンプ４からの出力）は、取り付け誤差（δ、ε）があったとしても、水平軸Ｈ方向の水平加速度のみを反映し、鉛直加速度の影響を受けないものとできる。
【００５６】
このように本実施の形態によれば、加速度検出装置を構成する加速度センサＡ、Ｂとしてアライメント精度の低い安価なセンサを用いたとしても、水平軸Ｈ方向の水平加速度αHを正しく検出することができ、加速度センサＡ、Ｂが安価な分、装置の低コスト化を図ることができる。
【００５７】
図８には、本発明のさらに他の実施の形態を示す。
【００５８】
この実施の形態では、加速度検出装置１として、一対の加速度センサＡ、Ｂの感度軸が互いに直角に配置されたものを用い、かつ加速度センサＡ、Ｂが水平軸Ｈに対して上下に対称に配置されるようにしている。すなわち、本実施の形態は、図５に示した実施の形態において、Θ＝π／４（ｒａｄ）としたものである。
【００５９】
この場合には、式（１２）、（１３）は、
αH＝（αA＋αB）／２1/2  …  （１８）
αV＝（αA−αB）／２1/2  …  （１９）
となる。この演算は、図６に示した演算回路６で実行される。なお、この場合はアンプ２０のゲインＣは１である。
【００６０】
そして、静止時において、式（１９）で表される鉛直加速度出力α1の値を確認すれば、加速度センサＡ、Ｂの故障を検知できる。
【００６１】
なお、式（１８）から明らかなように、本実施の形態では、水平加速度αHに対応する加算器３の出力（αA＋αB）は、水平加速度αHの約１．４倍であるので、加速度検出装置１の水平方向の感度を、水平加速度検出を１個の加速度センサのみで行う場合よりも、高めることができる。
【００６２】
また、本実施の形態では、一対の加速度センサＡ、Ｂの感度軸が互いに直角となっているので、垂直な２軸方向に一対の感度軸を備えたタイプの加速度センサをそのまま援用でき、加速度センサの各感度軸が水平軸Ｈに対して対称になるように傾けて設置するだけで、簡単に加速度検出装置を構成することができる。
【００６３】
図９には、図８の実施の形態の加速度検出装置の設置角度に、時計回りに誤差γが生じてしまった場合を示している。このような場合でも、本実施の形態の加速度検出装置１では、そのずれ角度γが小さい限り、水平軸Ｈ方向の加速度の検出および故障検知を問題なく行い得る。
【００６４】
すなわち、この場合には、加速度センサＡ、Ｂの出力は、それぞれ、
0003771030.tif 000002
と表せる。したがって、
αA＋αB＝２1/2・αH・cosγ＋２1/2・αV・sinγ  …  （２２）
αA−αB＝−２1/2・αH・sinγ＋２1/2・αV・cosγ  …  （２３）
が得られる。そして、γが十分小さければ、sinγ＝０、cosγ＝１とできるので、この式（２２）、（２３）は、式（１８）、（１９）と一致する。すなわち、本実施の形態では、設置角度に小さな誤差γがあったとしても、問題なく加速度検出装置１を構成できる。
【図面の簡単な説明】
【図１】本発明の実施の形態の加速度検出装置を示す構成図である。
【図２】同じく構成図である。
【図３】同じく加速度センサ出力に対する水平加速度と鉛直加速度の寄与を説明するための説明図である。
【図４】同じく演算回路を示す構成図である。
【図５】同じく他の実施の形態を示す構成図である。
【図６】同じく演算回路を示す構成図である。
【図７】同じく加速度検出装置にアライメント誤差がある場合を示す説明図である。
【図８】同じく他の実施の形態を示す構成図である。
【図９】同じく設置誤差がある場合を示す説明図である。
【符号の説明】
１  加速度検出装置
２  演算回路
３  加算器
４  出力アンプ
５  反転アンプ
６  加算器
７  出力アンプ
１１  演算回路
１２  演算回路
１３  アンプ
１４  アンプ
１５  アンプ
１６  アンプ
１７  加算器
１８  加算器
２０  アンプ
Ａ  感度軸
Ｂ  感度軸
Ｈ  水平軸
Ｖ  鉛直軸
【図１】
0003771030.tif 000003
【図２】
0003771030.tif 000004
【図３】
0003771030.tif 000005
【図４】
0003771030.tif 000006
【図５】
0003771030.tif 000007
【図６】
0003771030.tif 000008
【図７】
0003771030.tif 000009
【図８】
0003771030.tif 000010
【図９】
0003771030.tif 000011